(57)【要約】      （修正有）【課題】安価にどこでも入手できる市販の竹串や爪楊枝といった木製のピックを、たこ焼きを作る際のピックとして使い捨て感覚で操作性よく使用することを可能とする木製ピック用ホルダーを提供する。【解決手段】貫通孔１１４を有する先端側部材１１０と、木製ピックの途中部分を囲んだ状態のままで貫通孔１１４内に挿入される挿入部１２２を有し且つ木製ピックの基端を収納できる収納部を有する基端側部材１２０と、を備え、貫通孔１１４の少なくとも一部が一方側から他方側に向かって縮径する縮径部１１４ａを有するように構成され、木製ピックの軸方向に沿って先端側部材１１０と基端側部材１２０の相対位置を変化させることにより縮径部１１４ａが挿入部１２２を押圧して木製ピックを挟持固定する。【選択図】図７
0003218496.tif 000002
【実用新案登録請求の範囲】
【請求項１】
一般市販されている竹串や爪楊枝といった木製ピックの基端部分に取り付けて当該木製ピックを容易に把持操作するための木製ピック用ホルダーであって、
貫通孔を有する先端側部材と、
前記木製ピックの途中部分を当該木製ピックの半径方向外側から囲んだ状態のままで前記貫通孔内に挿入される挿入部を有し且つ当該木製ピックの基端を収納できる収納部を有する基端側部材と、を備え、
前記貫通孔の少なくとも一部が一方側から他方側に向かって縮径する縮径部を有するように構成され、
前記木製ピックの軸方向に沿って前記先端側部材と前記基端側部材の相対位置を変化させることにより前記縮径部が前記挿入部を押圧して前記木製ピックを挟持固定する
ことを特徴とする木製ピック用ホルダー。
【請求項２】
請求項１において、
前記先端側部材と前記基端側部材が螺合することにより、前記相対位置の変化が実現される
ことを特調とする木製ピック用ホルダー。
【請求項３】
請求項１または２において、
前記挿入部の先端は、先端側に向かうに従って外径が細くなるようにテーパ部が設けられている
ことを特調とする木製ピック用ホルダー。
【請求項４】
請求項１〜３のいずれかにおいて、
前記挿入部は、前記木製ピックを上下または左右から挟み込むように二分割構造とされると共に、前記木製ピックを保持するための略Ｖ字型の溝がそれぞれ設けられている
ことを特調とする木製ピック用ホルダー。
【考案の詳細な説明】
【技術分野】
【０００１】
本考案は、料理器具の技術分野に関し、特に詳しくは、たこ焼きを調理する際に使用するピック（串）に関するものである。
【背景技術】
【０００２】
家庭内等でたこ焼きを作る場合に使用される「たこ焼き器」の表面はフッ素樹脂加工が施されている製品が主流となっている。そのフッ素樹脂加工が施されたたこ焼き器を使ってたこ焼を作る際に、通常の金属製ピック（例えば特許文献１を参照）を使用すると当該フッ素樹脂加工を傷付けてしまう。
【０００３】
それを防止するべく先端部分が樹脂で構成されたたこ焼き用ピックも販売されている（例えば非特許文献１を参照）。
【先行技術文献】
【特許文献】
【０００４】
【特許文献１】実開平７−３９７２１号公報
【非特許文献】
【０００５】
【非特許文献１】貝印オンラインストア  プラスチック製のたこ焼きピックのページ（http://www.kai-group.com/store/products/detail/6820）
【考案の概要】
【考案が解決しようとする課題】
【０００６】
しかしながら、先端が樹脂製のピックは、必ずしも耐熱温度が十分でなく、場合によっては一回の使用で先端が変形してしまうこともある。これに対応するために、より耐熱温度の高い樹脂（エンジニアリングプラスチック）を使用することも可能であるが、コストが高くなりたこ焼き用のピックとしては非常に高価なものとなってしまう。
【０００７】
一方、市販の竹串や爪楊枝といった木製のピックであれば、フッ素樹脂加工を必要以上に傷つけることもなく、耐熱温度も高いという性質を有している。加えて安価であるという利点もあるが、そのままで使用すると全体が細いため持ち難く、たこ焼きを作る際に使用するピックとしては使い勝手が悪いという問題がある。
【０００８】
本考案は、これらの問題点を解決するべくなされたものであって、安価にどこでも入手できる市販の竹串や爪楊枝といった木製のピックを、たこ焼きを作る際のピックとして使い捨て感覚で操作性よく使用することを可能とするものである。
【課題を解決するための手段】
【０００９】
上記課題を解消するべく、本考案は、一般市販されている竹串や爪楊枝といった木製ピックの基端部分に取り付けて当該木製ピックを容易に把持操作するための木製ピック用ホルダーであって、貫通孔を有する先端側部材と、前記木製ピックの途中部分を当該木製ピックの半径方向外側から囲んだ状態のままで前記貫通孔内に挿入される挿入部を有し且つ当該木製ピックの基端を収納できる収納部を有する基端側部材と、を備え、前記貫通孔の少なくとも一部が一方側から他方側に向かって縮径する縮径部を有するように構成され、前記木製ピックの軸方向に沿って前記先端側部材と前記基端側部材の相対位置を変化させることにより前記縮径部が前記挿入部を押圧して前記木製ピックを挟持固定することを特徴とする。
【００１０】
要するに、竹串等の木製ピックの基端側をホルダーで保持して操作性を向上させると共に、更に、たこ焼き器の表面に接触する恐れのある先端部分は、十分な耐熱性があり、フッ素樹脂加工等を傷付け難いという性質を備えた木製ピックを使うことで従来の問題点を解決しているのである。加えて、竹串等は非常に安価（例えば５０本入りで１００円程度）で購入できるため、調理毎に使い捨て感覚で利用でき、使用後の洗浄等を行う必要もない。また、市販の竹串等は種々の長さのものが市販されているが、本考案に係る木製ピック用ホルダーは、所望の長さ位置で木製ピックを把持固定することができるため、好みの長さに調節して調理を行うことも可能となる。
【００１１】
また、前記先端側部材と前記基端側部材との螺合により、前記相対位置の変化が実現されるという構成を採用してもよい。
【００１２】
このように構成すれば、木製ピックを挟持固定するための操作が容易である事に加え、微調整もし易くなる。更に、螺合構造により発生する締め付けトルクによってセルフロック効果が生じるため、別途ロック機構のようなものを設ける必要もない。
【００１３】
また、前記挿入部の先端は、先端側に向かうに従って外径が細くなるようにテーパ部を設けるようにしてもよい。
【００１４】
このように構成すれば、より広い軸方向面積に渡って、挿入部が木製ピックを押圧してしっかりと挟持することができるため、木製ピックの固定がより確実なものとなる。
【００１５】
また、前記挿入部は、前記木製ピックを上下または左右から挟み込むように二分割構造とされると共に、前記木製ピックを保持するための略Ｖ字型の溝をそれぞれ設けてもよい。
【００１６】
このように構成することにより、必ずしも断面が真円形状でなく且つ直径にバラツキがある木製ピックを、効果的に把持固定することが可能となる。即ち、木製ピックの軸方向に沿って木製ピックの外周面を複数の「線」で押さえて挟持固定することになるのである。特に竹串の場合、竹の繊維が軸方向に沿っており、竹串の表面にも軸方向に沿った線状の凹凸が残って露出している場合が多いため、その線状の凹凸を捉え易く、特に把持した竹串が回転してしまうといった不都合を防止できる。
【００１７】
本考案により、安価にどこでも入手できる市販の竹串や爪楊枝といった木製のピックを、たこ焼きを作る際のピックとして使い捨て感覚で操作性よく使用することが可能となる。
【図面の簡単な説明】
【００１８】
【図１】本考案の実施形態の一例として示す木製ピック用ホルダーの全体斜視図である。
【図２】（ａ）は木製ピック用ホルダーの全体側面図であり、（ｂ）は同底面図である。
【図３】木製ピック用ホルダーを構成する先端側部材と基端側部材との連結を解いた状態での全体斜視図である。
【図４】木製ピック用ホルダーを構成する先端側部材と基端側部材との連結を解いた状態での全体側面図である。
【図５】（ａ）は基端側部材を開いた状態での斜視図であり、（ｂ）は同側面図である。
【図６】先端側の部材の中央断面であって、図４における矢視ＶＩ−ＶＩ線に沿う断面である。
【図７】先端側部材と基端側部材とが連結している状態を示した一部断面図であって、（ａ）は緩んでいる状態、（ｂ）は締まっている状態を示した図である。
【図８】挿入部の断面図であって、（ａ）は図３における矢視ＶＩＩ−ＶＩＩ線に沿う断面であり、（ｂ）は木製ピックを把持している状態例を示した断面図である。
【図９】木製ピック用ホルダーに対して木製ピックを取り付ける手順の一例を示した図である。
【考案を実施するための形態】
【００１９】
以下、添付図面を参照しつつ、本考案の実施形態の一例である木製ピック用ホルダー１００について詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈木製ピック用ホルダーの構成〉
本考案の実施形態の一例として示す木製ピックホルダー１００は、一般市販されている竹串や爪楊枝といった木製ピックの基端部分に取り付けて当該木製ピックを容易に把持操作するために使用するものである。
【００２１】
木製ピックホルダー１００は、樹脂成形された先端側部材１１０と、同じく樹脂成形された基端側部材１２０の２つの部材を組み合わせて構成され、全体として略円筒形状となるように構成される（図１及び図２を参照）。
【００２２】
図３及び図４に示している通り、先端側部材１１０と基端側部材１２０とは着脱自在に構成されており、先端側部材１１０の貫通孔１１４内に、基端側部材１２０の挿入部１２２が挿入されると共に、貫通孔１１４内に形成されたネジ溝（詳細は後述する）に対して挿入部１２２の外周面に形成されたネジ山１２４が螺合することによって連結固定される構造とされている。
【００２３】
先端側部材１１０は、木製ピックを通すための貫通孔１１４を有しており、外観上は途中に僅かな括れが形成されると共に先端側がやや拡径した縁部１１２を備えた略円筒形状を成しており、使用者が把持し易い形状となっている。また、縁部１１２は正面視略６角形状とされており、当該木製ピックホルダー１００を、例えば平面上に載置した際でも、意図せず転がることを防止できる形状とされている。
【００２４】
また、先端側部材１００に形成される貫通孔１１４について、図６を併せて参照しつつ説明する。貫通孔１１４は、先端側部材１１０の一方側（図６において右側）から他方側（図６において左側）に向かって形成されており、順に、係合部１１４ｃ、ネジ溝１１４ｂ、縮径部１１４が連続して構成される。
【００２５】
係合部１１４ｃは、基端側部材１２０の段部１２１（図３及び図４を参照）が嵌合する部分である。ネジ溝１１４ｂは、基端側部材１２０の挿入部１２２外周面に形成されるネジ山１２４が螺合し、先端側部材１１０と基端側部材１２０との軸方向相対位置を調整すると共に、両者の結合を行うための溝である。縮径部１１４ａは、一方側（図６において右側）から他方側（図６において左側）に向かって徐々に縮径するように（要するに貫通孔が徐々に細くなるように）構成されている。
【００２６】
基端側部材１２０は、挿入部１２２と収納部１２６を備えて構成される。挿入部１２２は、木製ピック（竹串や爪楊枝など）の途中部分を当該木製ピックの半径方向外側から囲んだ（挟持した）状態のままで、前述の先端側部材１１０に形成された貫通孔１１４内に挿入される部位である。一方、収納部１２６は、木製ピックの基端部側が収納される部分である。
【００２７】
本実施形態における基端側部材１２０は、図５に示している通り、上下二分割となるように構成され、底部（基端側）が薄いベルト上の樹脂で繋がったヒンジ部１２８（所謂リビングヒンジ）によって連結された構成とされている。即ち、ヒンジ部１２８を中心に、左右に略対象に構成された第１基端部側部材（１２２ａ、１２３ａ、１２４ａ、１２６ａ）と、第２基端部側部材（１２２ｂ、１２３ｂ、１２４ｂ、１２６ｂ）とを、ヒンジ部１２８を介して折り畳むように重ね合わせることにして使用される。なお、符号１２７及び１２９は、第１基端部側部材と第２基端部側部材とを折り畳んで重ね合わせた際の位置決めを行うための嵌合凸部１２７と嵌合凹部１２９である。
【００２８】
基端側部材１２０は、折り畳んで重ね合わせた状態で、挿入部１２２の先端には、
先端側に向かうに従って外径が細くなるようにテーパ部１２３が設けられている。また、ネジ山１２４は、折り畳んで重ね合わせた状態において連続するように構成される。
【００２９】
また、挿入部１２２の内周面側には、断面視、略Ｖ字型の溝１２５ａ、１２５ｂが形成されている（図５（ａ）及び図８を参照）。
【００３０】
〈木製ピック用ホルダーの作用・機能〉
木製ピック用ホルダー１００の使い方は極めて簡単である。図９（ａ）に示しているように、先端側部材１１０に対して基端側部材１２０を回転させ緩めた状態で、先端側部材１１０の貫通孔１１４から竹串等の木製ピック２００を差し込み（図９（ｂ））、先ほどとは反対方向に回転させて締め込むことにより、木製ピック２００が所望の位置で固定される（図９（ｃ））。取り外す際はこの逆の操作を行えばよい。なお、上記説明及び図面では基端側部材１２０を回転させているが、先端側部材１１０を回転させるような操作を行っても同様である。
【００３１】
先端側部材１００と基端側部材１２０とはネジ溝１１４ｂとネジ山１２４によって螺合しているので、一方を回転させることによって、先端側部材１１０に対する基端側部材１２０の相対位置（木製ピック２００の軸方向に沿った相対位置）が変化することになる（図７参照）。
【００３２】
この時の相対位置の変化によって、貫通孔１１４内では挿入部１２２の先端が広がったり閉じたりする動作が発生する。即ち、貫通孔１１４の先端側には、縮径部１１４ａが設けられていて貫通孔１１４が徐々に縮径している（細くなっている）ため、緩められると挿入部１２２が後退し、上下２つのパーツで構成される挿入部１２２ａ、１２２ｂが広がり（図７（ａ）及び図８（ａ）を参照）、木製ピック１２０を容易に差し込んだり抜き出したりすることが可能となる。
【００３３】
一方、締め付けられると、挿入部１２２が、縮径部１１４ａの先端側（径が細い方向）に前進するため、上下２つのパーツで構成される挿入部１２２ａ、１２２ｂが閉じ（図７（ｂ）及び図８（ｂ）を参照）、木製ピック１２０がしっかりと把持固定されるのである。
【００３４】
上記の通り、本考案は、一般市販されている竹串や爪楊枝といった木製ピック２００の基端部分に取り付けて木製ピック２００を容易に把持操作するための木製ピック用ホルダー１００であって、貫通孔１１４を有する先端側部材１１０と、木製ピック２００の途中部分を木製ピック２００の半径方向外側から囲んだ状態のままで貫通孔１１４内に挿入される挿入部１２２を有し且つ木製ピック２００の基端を収納できる収納部１２６を有する基端側部材１２０と、を備え、貫通孔１１４の少なくとも一部が一方側から他方側に向かって縮径する縮径部１１４ａを有するように構成され、木製ピック２００の軸方向に沿って先端側部材１１０と基端側部材１２０の相対位置を変化させることにより縮径部１１４ａが挿入部１２２を押圧して木製ピック２００を挟持固定することを特徴としていた。
【００３５】
要するに、竹串等の木製ピック２００の基端側をホルダーで保持して操作性を向上させると共に、更に、たこ焼き器の表面に接触する恐れのある先端部分は、十分な耐熱性があり、フッ素樹脂加工等を傷付け難いという性質を備えた木製ピックを使うことを可能としているのである。加えて、竹串等は非常に安価（例えば５０本入りで１００円程度）で購入できるため、調理毎に使い捨て感覚で利用でき、使用後の洗浄等を行う必要もない。また、市販の竹串等は種々の長さのものが市販されているが、本考案に係る木製ピック用ホルダー１００は、所望の長さ位置で木製ピックを把持固定することができるため、好みの長さに調節して調理を行うことも可能となる。
【００３６】
また、先端側部材１００と基端側部材１２０との螺合により、両者の相対位置の変化が実現されるという構成を採用していた。
【００３７】
このように構成したことによって、木製ピック２００を挟持固定するための操作が容易である事に加え、微調整もし易くなる。更に、螺合構造により発生する締め付けトルクによってセルフロック効果が生じるため、別途ロック機構のようなものを設ける必要もない。
【００３８】
また、挿入部１２２の先端には、先端側に向かうに従って外径が細くなるようにテーパ部１２３が設けられていた。
【００３９】
このように構成したことによって、より広い軸方向面積に渡って、挿入部１２２が木製ピック２００を押圧してしっかりと木製ピック２００を挟持することができる。即ち、木製ピック２００の固定がより確実なものとなる。仮にこのテーパ部１２３が設けられていない場合は、挿入部１２２の先端位置のみで木製ピック２００を挟持することになるため、効果的な把持固定ができないことに加えて、特定の部分のみに押圧力が集中してしまうため、その部分が変形してしまい機能しなくなる等の不具合が想定される。
【００４０】
また、挿入部１２２は、木製ピック２００を上下または左右から挟み込むように二分割構造１２２ａ、１２２ｂとされると共に、木製ピック２００を保持するための略Ｖ字型の溝１２５ａ、１２５ｂがそれぞれ設けられていた。
【００４１】
このように構成したことによって、必ずしも断面が真円形状でなく且つ直径にバラツキがある木製ピック２００を、効果的に把持固定することが可能となっている。即ち、木製ピック２００の軸方向に沿って木製ピック２００の外周面を複数の「線」で押さえて挟持固定することになるのである。特に竹串の場合、竹の繊維が軸方向に沿っており、竹串の表面にも軸方向に沿った線状の凹凸が残って露出している場合が多いため、その線状の凹凸を捉え易く、特に把持した竹串が回転してしまうといった不都合を防止できる。
【００４２】
〈その他の構成例〉
上記では、先端側部材１１０と基端側部材１２０との相対位置関係は、両者の螺合構造によって実現されていたが、これに限られない。両者の相対位置を変位及び固定できる限りにおいて、他の構造を採用することも可能である。
【符号の説明】
【００４３】
１００・・・木製ピック用ホルダー
１１０・・・先端側部材
１１２・・・縁部
１１４・・・貫通孔
１１４ａ・・・縮径部
１１４ｂ・・・ネジ溝
１１４ｃ・・・係合部
１２０・・・基端側部材
１２１・・・段部
１２２・・・挿入部
１２３・・・テーパ部
１２４・・・ネジ山
１２５・・・挿入部内周面
１２６・・・収納部
１２７・・・嵌合凸部
１２９・・・嵌合凹部
１２８・・・ヒンジ部
２００・・・竹串（木製ピック）
【図１】
0003218496.tif 000003
【図２】
0003218496.tif 000004
【図３】
0003218496.tif 000005
【図４】
0003218496.tif 000006
【図５】
0003218496.tif 000007
【図６】
0003218496.tif 000008
【図７】
0003218496.tif 000009
【図８】
0003218496.tif 000010
【図９】
0003218496.tif 000011